(57)【要約】【課題】小型化しても、受信性能の維持または向上が可能な電子装置を提供する。【解決手段】電子装置としての電子腕時計１は、電波の送信または受信の少なくとも一方を行うためのアンテナ部２と、情報を表示する液晶パネル部４（表示体部）と、少なくとも１枚の配線基板２０と、を含んで構成され、アンテナ部２は、板状の誘電体２ｂと、誘電体２ｂの一方の面に配置されたグランド電極（第１導電層）２ｃと、他方の面に配置された放射電極（第２導電層）２ａと、を有し、グランド電極２ｃは、アンテナ部２の配線基板２０に近い側の面に位置して配線基板２０の信号電位に接続され、放射電極２ａは、アンテナ部２の配線基板２０から遠い側の面に位置して配線基板２０の接地電位に接続されており、配線基板２０は、液晶パネル部４の背面とグランド電極２ｃとの間に配置されていることを特徴とする。【選択図】図２
2013247599.tif 000002
【特許請求の範囲】
【請求項１】
電波の送信または受信の少なくとも一方を行うためのアンテナ部と、情報を表示する表示体部と、少なくとも１枚の配線基板と、を含んで構成される電子装置であって、
前記アンテナ部は、板状の誘電体と、前記誘電体の一方の面に配置された第１導電層と、他方の面に配置された第２導電層と、を有し、
前記第１導電層は、前記アンテナ部の前記配線基板に近い側の面に位置して前記配線基板の信号電位に接続され、前記第２導電層は、前記アンテナ部の前記配線基板から遠い側の面に位置して前記配線基板の接地電位に接続されており、
前記配線基板は、前記表示体部の背面と前記第１導電層との間に配置されていることを特徴とする電子装置。
【請求項２】
請求項１に記載の電子装置において、
前記アンテナ部と前記配線基板との接続は、前記アンテナ部の前記配線基板に近い側の面上において、同軸ケーブルの一端の芯線が前記第１導電層に接続され外皮がスルーホールを通して前記第２導電層に接続され、前記同軸ケーブルの他の一端において、前記芯線が前記配線基板の前記信号電位に接続され前記外皮が前記配線基板の前記接地電位に接続されている、ことを特徴とする電子装置。
【請求項３】
請求項１に記載の電子装置において、
前記アンテナ部と前記配線基板との接続は、前記アンテナ部の前記配線基板に近い側の面上において、同軸ケーブルの一端の芯線がスルーホールを通して前記第２導電層に接続され外皮が前記第１導電層に接続され、前記同軸ケーブルの他の一端において、前記外皮が前記配線基板の前記信号電位に接続され前記芯線が前記配線基板の前記接地電位に接続されている、ことを特徴とする電子装置。
【請求項４】
請求項１に記載の電子装置において、
前記アンテナ部と前記配線基板との接続は、前記アンテナ部の前記配線基板に遠い側の面上において、同軸ケーブルの一端の芯線がスルーホールを通して前記第１導電層に接続され外皮が前記第２導電層に接続され、前記同軸ケーブルの他の一端において、前記芯線が前記配線基板の前記信号電位に接続され前記外皮が前記配線基板の前記接地電位に接続されている、ことを特徴とする電子装置。
【請求項５】
請求項１乃至４のいずれか一項に記載の電子装置において、
電力を供給するための電池をさらに有し、前記電池は、前記アンテナ部の前記配線基板が配置されている側とは反対側に配置されている、ことを特徴とする電子装置。
【請求項６】
請求項１乃至５のいずれか一項に記載の電子装置において、
前記アンテナ部の前記誘電体の形状と、前記第１導電層および前記第２誘電層の少なくとも一方の形状とは、ｎ個（ｎは０，１，２，３，４のいずれか）の角を欠いた長方形であり、少なくとも前記長方形の短辺は、前記表示体部上または前記配線基板上に形成されている導体部のうち、大きいほうの外縁から前記電波の１００分の２波長の長さだけ内側に入った位置よりも外側に配置されている、ことを特徴とする電子装置。
【請求項７】
請求項１乃至６のいずれか一項に記載の電子装置において、
前記表示体部、前記配線基板、前記アンテナ部のいずれかが有する最大の外形よりも大きな導電体をさらに有し、前記導電体は、前記電池の前記配線基板が配置されている側とは反対側に配置されている、ことを特徴とする電子装置。
【発明の詳細な説明】
【技術分野】
【０００１】
本発明は、アンテナ機能を有する装置を内蔵し、主に人や動物に装着して使用する電子装置に関する。
【背景技術】
【０００２】
従来、アンテナ機能を内蔵し腕に装着して用いる電子装置の例として、特許文献１に示す携帯用受信装置が開示されている。この携帯用受信装置は、表裏両面間に電磁遮蔽層が介挿されたサンドイッチ構造の配線基板の一方の面に、受信回路の一部を構成するデジタル回路部と受信アンテナとを有し、配線基板の他方の面に、配線基板を介して受信アンテナと対向し受信回路の他の一部を構成するアナログ回路部を有している。この構成の携帯用受信装置では、ノイズの影響を受け易いアナログ回路部が、高周波デジタルノイズの発生源となるデジタル回路部に対して、配線基板に介挿された電磁遮蔽層で電磁遮蔽されており、この電磁遮蔽により、デジタル回路部からアナログ回路部へのノイズ成分のリークや混入等が効果的に抑制される。そのため、携帯用受信装置は、デジタル回路部とアナログ回路部とを近接配置して、実装密度を高めて小型化することができ、さらに、ノイズの影響が低減または除去されることにより、受信性能の向上が図れる。
【先行技術文献】
【特許文献】
【０００３】
【特許文献１】特開平１０−１９７６６２号公報
【発明の概要】
【発明が解決しようとする課題】
【０００４】
しかし、従来の技術においては、デジタル回路部の影響を抑制して、携帯用受信装置の小型化を達成することは可能であるが、更なる小型化を図る場合、特許文献１に示す一般的な構成、即ち受信アンテナの側に液晶パネル等の表示体部をフラットケーブルで接続して配置する構成、では、受信アンテナが液晶パネルまたはフラットケーブルの影響を受けて、インピーダンスが変動し放射効率の劣化等が生じる、という課題があった。
【０００５】
また、従来の技術では、アンテナと表示体部およびデジタル回路が平面的に並んで配置されており、表示体部の面積が限定されてしまう、という課題もあった。そのため、高性能および高機能な電子装置においては、表示体部に多量の情報が表示できないばかりか、電子装置における外装ケースの外観デザイン上も大きな制約を受けることになっていた。これは、従来の受信アンテナが電波を受信するために、外装ケースの表面近くに配置されなければならない、という技術的な制約によるものである。さらに、人体や動物に装着して用いられる電子装置においては、その装着状態によってアンテナの送受信特性が大きく変動するようなことがあってはならない。
【課題を解決するための手段】
【０００６】
本発明は、上述の課題の少なくとも一部を解決するためになされたものであり、以下の適用例または形態として実現することが可能である。
【０００７】
［適用例１］本適用例に係る電子装置は、電波の送信または受信の少なくとも一方を行うためのアンテナ部と、情報を表示する表示体部と、少なくとも１枚の配線基板と、を含んで構成される電子装置であって、前記アンテナ部は、板状の誘電体と、前記誘電体の一方の面に配置された第１導電層と、他方の面に配置された第２導電層と、を有し、前記第１導電層は、前記アンテナ部の前記配線基板に近い側の面に位置して前記配線基板の信号電位に接続され、前記第２導電層は、前記アンテナ部の前記配線基板から遠い側の面に位置して前記配線基板の接地電位に接続されており、前記配線基板は、前記表示体部の背面と前記第１導電層との間に配置されていることを特徴とする。
【０００８】
本適用例の電子装置によれば、アンテナ部は、板状の誘電体とその両面に配置された第１導電層および第２導電層とによって構成されており、表示体部、配線基板、アンテナ部は、重ねて配置することができる。これにより、電子装置の上面側のほとんどを表示体部によって占めることが可能となり、大量の情報表示が可能となる。しかも、アンテナ部の第１導電層と表示体部との間に配置された配線基板に、適当なシールド層を設けることが可能となり、表示体部によって発生するノイズがアンテナ部に回り込むのを防ぐことができる。さらに、アンテナ部の配線基板から遠い側の第２導電層は、配線基板の接地電位に接続される。これによって、人体などに装着される電子装置の底面が接地電位によってシールドされ、装着状態の変動による不安定要素を軽減することが可能となる。さらに、表示体部と配線基板とは近接しており、両者の接続は容易であり、電子装置は、この配線によるアンテナ部の特性への影響度合いも軽減でき、送受信性能の維持および向上が可能である。
【０００９】
［適用例２］上記適用例に記載の電子装置において、前記アンテナ部と前記配線基板との接続は、前記アンテナ部の前記配線基板に近い側の面上において、同軸ケーブルの一端の芯線が前記第１導電層に接続され外皮がスルーホールを通して前記第２導電層に接続され、前記同軸ケーブルの他の一端において、前記芯線が前記配線基板の前記信号電位に接続され前記外皮が前記配線基板の前記接地電位に接続されている、ことが好ましい。
【００１０】
この構成によれば、アンテナ部の配線基板から遠い側の第２導電層への配線が、同軸ケーブルを用いることによって、容易になる。つまり、アンテナ部の配線基板に近い側の面上に同軸ケーブルがあることにより、同軸ケーブルの長さを最小にして、アンテナ部と配線基板とを接続することができる。これにより、アンテナ部への配線による損失や特性劣化を最小限に抑えて、送受信性能を最大限に発揮することが可能となる。
【００１１】
［適用例３］上記適用例に記載の電子装置において、前記アンテナ部と前記配線基板との接続は、前記アンテナ部の前記配線基板に近い側の面上において、同軸ケーブルの一端の芯線がスルーホールを通して前記第２導電層に接続され外皮が前記第１導電層に接続され、前記同軸ケーブルの他の一端において、前記外皮が前記配線基板の前記信号電位に接続され前記芯線が前記配線基板の前記接地電位に接続されている、ことが好ましい。
【００１２】
この構成によれば、アンテナ部の配線基板から遠い側の第２導電層への配線が、同軸ケーブルを用いることによって、容易になる。この場合では、第２導電層の接地電位への接続に同軸ケーブルの芯線を用いているため、アンテナ部の第１導電層と同軸ケーブルの外皮との間に流れる漏洩電流による特性の乱れも、最小限に抑制することができる。これにより、アンテナ部への配線による損失や特性劣化を最小限に抑えて送受信性能を最大限に発揮することが可能となる。
【００１３】
［適用例４］上記適用例に記載の電子装置において、前記アンテナ部と前記配線基板との接続は、前記アンテナ部の前記配線基板に遠い側の面上において、同軸ケーブルの一端の芯線がスルーホールを通して前記第１導電層に接続され外皮が前記第２導電層に接続され、前記同軸ケーブルの他の一端において、前記芯線が前記配線基板の前記信号電位に接続され前記外皮が前記配線基板の前記接地電位に接続されている、ことが好ましい。
【００１４】
この構成によれば、アンテナ部と配線基板をつなぐ配線において、同軸ケーブルの外皮とアンテナの第２導電層との間、あるいは同軸ケーブルの外皮と配線基板の接地電位との間に、容量を通して流れる漏洩電流の発生を抑え、その影響を最小にすることができる。これにより、アンテナ部への配線による損失や特性劣化を最小限に抑えて、送受信性能を最大限に発揮することが可能となる。
【００１５】
［適用例５］上記適用例に記載の電子装置において、電力を供給するための電池をさらに有し、前記電池は、前記アンテナ部の前記配線基板が配置されている側とは反対側に配置されている、ことが好ましい。
【００１６】
この構成によれば、取替えが必要な電池を当該電子装置の外装ケースの表面近くに置くことができるため、電池の取替えが容易にできる。アンテナ部の電池側の第２導電層は、配線基板の接地電位に接続されているために、この位置に電池を置いても、アンテナ特性への影響は小さく、送受信性能を損なうことは無い。
【００１７】
［適用例６］上記適用例に記載の電子装置において、前記アンテナ部の前記誘電体の形状と、前記第１導電層および前記第２誘電層の少なくとも一方の形状とは、ｎ個（ｎは０，１，２，３，４のいずれか）の角を欠いた長方形であり、少なくとも前記長方形の短辺は、前記表示体部上または前記配線基板上に形成されている導体部のうち、大きいほうの外縁から前記電波の１００分の２波長の長さだけ内側に入った位置よりも外側に配置されている、ことが好ましい。
【００１８】
この構成によれば、電子装置の表示体部の表示面形状は、長方形であることが望ましく、アンテナ部および配線基板も表示体部と同形にすれば、電子装置の外装ケース内に各要素を効率よく収容することができる。そして、電子装置が略長方形等であり角に丸みを持たせる必要があるときは、適宜アンテナ部や配線基板もそれにあわせ角を切欠けば良い。また、アンテナ部が平面アンテナの場合、アンテナ部の外縁部に生じる磁流がアンテナ性能を決めることになる。この場合、アンテナ部の外縁部が、表示体部や配線基板の大きいほうの外縁において、その外縁から、受信する電波の１００分の２波長だけ内側の位置よりも外側にあれば、アンテナ部はその性能を維持できることがシミュレーションによって確認されている。よって、この構成によれば、アンテナ性能に影響を与えることなく、コンパクトで外装ケースの外観デザインにも優れた電子装置の実現が可能になる。
【００１９】
［適用例７］上記適用例に記載の電子装置において、前記表示体部、前記配線基板、前記アンテナ部のいずれかが有する最大の外形よりも大きな導電体をさらに有し、前記導電体は、前記電池の前記配線基板が配置されている側とは反対側に配置されている、ことが好ましい。
【００２０】
この構成によれば、電子装置に設けた導電体は、例えば接地電位を確実なものとする等の作用をなし、電子装置の動作をより安定なものとすることができる。この導電体は、金属等の導電性のある材料により、電子装置の外装ケースの一部を形成する構成も考えられる。
【図面の簡単な説明】
【００２１】
【図１】ＧＰＳシステムの概要を示す模式図。
【図２】実施形態１の電子腕時計におけるアンテナ部を含む構成を示す断面図。
【図３】（ａ）液晶パネル部の構成を示す平面図、（ｂ）液晶パネル部の構成を示す断面図。
【図４】電子腕時計の回路構成を示すブロック図。
【図５】（ａ）アンテナ部をグランド電極側から見た平面図、（ｂ）アンテナ部への給電構成を示す断面図、（ｃ）アンテナ部の放電電極における励振モードを示す平面図。
【図６】実施形態２の電子腕時計におけるアンテナ部構成を示す断面図。
【図７】実施形態３の電子腕時計におけるアンテナ部構成を示す断面図。
【発明を実施するための形態】
【００２２】
以下、本発明の電子装置における、好適な一例について、添付図面を参照して説明する。ここでは、位置情報衛星等からの電波による測位用信号等を受信して利用する、通信システムに適応した電子装置を例にして、その概要について説明する。この通信システムは、いわゆるＧＰＳ（Global  Positioning  System）システムである。
【００２３】
図１は、ＧＰＳシステムの概要を示す模式図である。図１に示すように、ＧＰＳ衛星９０は、地球の上空の所定の軌道上を周回している位置情報衛星であり、例えば１．５７５４２ＧＨｚのマイクロ波に航法メッセージ等を重畳させた、衛星信号を地上に送信している。このＧＰＳ衛星９０は原子時計を搭載しており、衛星信号には原子時計で計時された極めて正確な時刻情報であるＧＰＳ時刻情報が含まれている。そのため、ＧＰＳ受信機としての機能を備えた電子腕時計（電子装置）１は、衛星信号を受信して、内部時刻の進みまたは遅れを修正することにより、正確な時刻を表示することができる。この修正は、測時モードとして行われる。
【００２４】
また、衛星信号にはＧＰＳ衛星９０の軌道上の位置を示す軌道情報等も含まれている。つまり、電子腕時計１は、測位計算を行うこともでき、通常、４つ以上のＧＰＳ衛星９０からそれぞれ送信された衛星信号を受信することによって、それら中に含まれる軌道情報およびＧＰＳ時刻情報を使用して測位計算を行なう機能等を有している。測位計算により、電子腕時計１は、現在位置に合わせて時差を修正すること等が容易にでき、この修正は、測位モードとして行なわれる。このほか、衛星信号を利用すれば、現在位置表示、移動距離測定、移動速度計測を行なう等の各種応用が可能であり、電子腕時計１では、これらの情報を、表示体部である液晶パネル部４によりデジタル表示することが可能である。
（実施形態１）
【００２５】
実施形態１では、ＧＰＳ受信機能を備えた電子腕時計１について、その構成の一例を説明する。図２は、実施形態１の電子腕時計におけるアンテナ部を含む構成を示す断面図であり、図４は、電子腕時計の回路構成を示すブロック図である。なお、図２では、その構造、特に縦方向（厚み方向）の構造がよくわかるように縦、横の方向で縮尺を変えてある。図２および図１に示すように、ＧＰＳ受信機能付きの電子腕時計１は、プラスティック（ポリカーボネート樹脂）等、導電性がなく電波を通しやすい材料で形成された外装ケース１１と、外装ケース１１を腕８に装着するためのベルト１９と、を備えている。外装ケース１１は、時刻等の情報を視認する側である表面側の開口に取り付けられたガラス１２と、電子腕時計１が装着される腕８の側である裏面側に取り付けられた裏蓋１３と、外装ケース１１の側面に設けられたボタン１６ａ，１６ｂ，１６ｃ（図１）と、を有している。外装ケース１１は外観が略円筒状をなしているが、概略直方体状（角および辺に丸みをつけた直方体状）であっても良く、特に液晶パネル等によるデジタル表示の場合は、見切り形状にあわせ直方体状の形状となることが多い。これらボタン１６（１６ａ，１６ｂ，１６ｃ）は、手動操作により、液晶パネル部４への表示の設定等ができるように構成されている。
【００２６】
外装ケース１１の内部には、時刻を刻む等の処理をするための駆動機構と、情報の処理および処理された情報を表示するための処理機構等と、を有していて、これら各機構等を支持する支持枠１５が設けられている。支持枠１５は、その表面側から順に、時刻等の諸情報を示すための液晶パネル部４と、図４を参照して後述する受信モジュール３０や制御部４０等を裏面側に有し、不図示の他基板との中で最も液晶パネル部４の側に位置する配線基板２０と、受信モジュール３０や制御部４０等をシールドしているシールド部２１と、ＧＰＳ衛星９０からの電波を受信するためのアンテナ部２と、電子腕時計１の電力供給源である電池１８と、をそれぞれ支持している。また、電子腕時計１では、アンテナ部２、液晶パネル部４および配線基板２０は、ほぼ同じ大きさ、即ち略合同をなす矩形形状であり、外周が略円形状の支持枠１５の内側に収容されている。この支持枠１５の外周には、外装ケース１１との位置合わせ用の突起（不図示）が設けられ、液晶パネル部４が、外装ケース１１に対して、所定の位置に設置されるようになっている。なお、アンテナ部２、液晶パネル部４および配線基板２０は、同じ大きさおよび形状、即ち合同をなしていれば、実装効率が高まりより好ましい。
【００２７】
そして、液晶パネル部４は、配線基板２０を挟んでアンテナ部２と反対側に配置され、フレキシブル基板４ｎを介して配線基板２０に搭載された駆動回路４４（図４）に接続されている。また、アンテナ部２は、電池１８の側から順に、電極（第２導電層）２ａ、板状の誘電体板（誘電体）２ｂ、電極（第１導電層）２ｃを有し、電極２ａは、誘電体板２ｂに設けられたスルーホールを通して電極２ｃの側の受給電点４ｋへ導通している。アンテナ部２と受信モジュール３０（図４）との接続は、同軸ケーブル２５を介して行われる。受給電点４ｋには、同軸ケーブル２５の一端の外皮が接続され、また、同軸ケーブル２５の芯線は、電極２ｃ上の受給電点４ｋ近傍に接続されている。同軸ケーブル２５の他端の芯線は、コネクター２６を介して受信モジュール３０の高周波信号を入力する信号端子３６を通してＳＡＷフィルター３５に接続され、また、外皮は、コネクター２６を介して配線基板２０の接地電位に接続されている。
【００２８】
アンテナ部２は、受給電点４ｋが配線基板２０と対向するような配置になっているため、アンテナ部２と配線基板２０との接続が容易な構成である、と言える。また、アンテナ部２の大きさが限定されるとき、電極２ｃ、誘電体板２ｂ、電極２ａが同じ大きさである場合において、アンテナの共振周波数が最低となる。よって、電極２ｃと電極２ａが同じ大きさの場合、最もアンテナ部２のサイズが小型となり好ましいが、電極２ｃが電極２ａより大きい設定、あるいはその逆であっても良い。これは、アンテナ部２の共振周波数を微調整するときに応用できる。また、外装ケース１１が導電性を持つときは、誘電体板２ｂの外縁と外装ケース１１との間には、当該共振周波数における電磁波波長の１／２００以上の隙間を設ければ特性上好ましいことがシミュレーションによって確認されている。
【００２９】
また、矩形形状をなすアンテナ部２の少なくとも短辺縁は、配線基板２０または液晶パネル部４のいずれか大きいほうの外縁より電磁波波長の２／１００以上内側に置いてはならない。そして、電池１８もアンテナ部２の外縁を隠すことが無いように配置すべきである。なお、アンテナ部２の詳細構成および受信機能等については、後で図５を参照して詳細に説明する。
【００３０】
次に、液晶パネル部４について説明する。図３（ａ）は、液晶パネル部の構成を示す平面図であり、図３（ｂ）は、液晶パネル部の構成を示す断面図である。図３（ｂ）は、図３（ａ）のＰ−Ｐ’に沿った断面図である。これら図３（ａ）および図３（ｂ）において、液晶パネル部４は、透明基板４ａと、透明基板４ａと対をなす対向基板４ｂとが、封止材であるシール材４ｃによって貼り合わされている構成である。つまり、シール材４ｃは、両基板面内において、閉ざされた空間領域を形成している。
【００３１】
そして、液晶パネル部４は、シール材４ｃによる枠状領域の内側に、モザイク状等をなし透明基板４ａの表面に配置されている複数の画素電極（画素）４ｄと、各画素電極４ｄをスイッチング制御するＴＦＴ（Thin  Film  Transistor）４ｅと、対向基板４ｂにおける透明基板４ａ側の面に画素電極４ｄに対向して配置されている平面状の対向電極４ｆと、画素電極４ｄおよび対向電極４ｆを覆うように形成されている配向膜４ｇと、シール材４ｃおよび配向膜４ｇによって区画された領域内に封入保持されている液晶４ｈと、透明基板４ａにおけるＴＦＴ４ｅと反対側に設けられ液晶４ｈの方向へ向けて白色の光１０を発光する光源部４ｊと、を有している。これら画素電極４ｄ、対向電極４ｆおよび配向膜４ｇは、透明な部材により形成されている。液晶４ｈは、ＴＦＴ４ｅによりスイッチング制御された画素電極４ｄに対応して、光源部４ｊからの光１０を透過または遮断することにより、各種情報の表示をする。即ち、液晶パネル部４は、いわゆる透過型液晶表示装置である。また、液晶パネル部４は、端子部４ｍを介して、外部との接続用のフレキシブル基板４ｎを有し、フレキシブル基板４ｎは、配線基板２０（図２）の液晶パネル部４側の面に接続されている。ここでは、光源部４ｊとして、有機ＥＬ（有機エレクトロルミネッセンス）を用いて、画素電極４ｄを介して液晶４ｈへ給光している。なお、画素電極４ｄを廃止することも可能であって、その場合、画素電極４ｄのあった位置へ有機ＥＬをそれぞれ配置し、これら有機ＥＬを個々にスイッチング制御する構成となる。さらに光源部４ｊは、例えば光源ランプの光を導光板で液晶４ｈの全面に対して導く構成のものも考えられる。
【００３２】
なお、液晶パネル部４においては、使用する液晶４ｈの種類、つまり、ＴＮ（Twisted  Nematic）モード、ＳＴＮ（Super  Twisted  Nematic）モード等の動作モードや、ノーマリホワイトモードまたはノーマリブラックモードの表示種別に応じて、位相差板、偏光板等が所定の向きに配置されるが、ここでは図示を省略してある。また、液晶パネル部４をカラー表示用として構成する場合には、対向基板４ｂにおいて、各画素電極４ｄに対向する領域に、赤（Ｒ）、緑（Ｇ）、青（Ｂ）のフィルターを設ければよい。さらに、液晶パネル部４において、光源部４ｊの替わりに透明基板４ａの液晶側に反射板を設け、対向基板４ｂ側からの光を反射する構成、いわゆる反射型液晶表示装置の形態、とすることも可能である。
【００３３】
次に、ＧＰＳ受信機能を備えた電子腕時計１の回路構成について説明する。図４に示すように、電子腕時計１は、アンテナ部２と、受信モジュール３０と、制御部４０を含む表示部８０と、電池１８と、を含んで構成されている。
【００３４】
受信モジュール３０は、アンテナ部２が接続されており、ＳＡＷ（Surface  Acoustic  Wave：表面弾性波）フィルター３５と、ＲＦ（Radio  Frequency：無線周波数）部５０と、ベースバンド部６０と、を含んで構成されている。ＳＡＷフィルター３５は、アンテナ部２が受信した電波から衛星信号を抽出する処理を行う。ＲＦ部５０は、ＬＮＡ（Low  Noise  Amplifier）５１と、ミキサー５２と、ＶＣＯ（Voltage  Controlled  Oscillator）５３と、ＰＬＬ（Phase  Locked  Loop）回路５４と、ＩＦ（Intermediate  Frequency：中間周波数）アンプ５５と、ＩＦフィルター５６と、ＡＤＣ（Ａ／Ｄ変換器）５７と、を含んで構成されている。
【００３５】
ＳＡＷフィルター３５が抽出した衛星信号は、ＬＮＡ５１で増幅され、ミキサー５２でＶＣＯ５３が出力する局所信号とミキシングされて中間周波数帯の信号にダウンコンバートされる。ＰＬＬ回路５４は、ＶＣＯ５３の出力する局所信号を分周した信号と安定な基準クロック信号とを位相比較してＶＣＯ５３の出力する局所信号を基準クロック信号に同期させて、正確な周波数の局所信号の発生と安定化を図る。ミキサー５２でミキシングされた信号は、ＩＦアンプ５５で増幅され、ＩＦフィルター５６で不要信号が除去される。ＩＦフィルター５６を通過した信号は、ＡＤＣ（Ａ／Ｄ変換器）５７でデジタル信号に変換される。ベースバンド部６０は、ＤＳＰ（Digital  Signal  Processor）６１と、ＣＰＵ（Central  Processing  Unit）６２と、ＳＲＡＭ（Static  Random  Access  Memory）６３と、ＲＴＣ（Real  Time  Clock）６４と、を含んで構成されている。また、ベースバンド部６０には、温度補償回路付き水晶発振回路（ＴＣＸＯ：Temperature  Compensated  Crystal  Oscillator）６５やフラッシュメモリー６６等が接続されている。
【００３６】
温度補償回路付き水晶発振回路（ＴＣＸＯ）６５は、温度に関係なくほぼ一定の周波数の基準クロック信号を生成し、フラッシュメモリー６６には、現在位置情報や時差情報等が記憶されている。ベースバンド部６０は、測時モード等に設定されると、ＲＦ部５０のＡＤＣ５７が変換したデジタル信号からベースバンド信号を復調する処理を行う。また、ベースバンド部６０は、捕捉したＧＰＳ衛星９０の航法メッセージに含まれる軌道情報やＧＰＳ時刻情報等の衛星情報を取得してＳＲＡＭ６３に記憶する。
【００３７】
表示部８０は、制御部４０および水晶振動子４３等を含んで構成されている。制御部４０は、記憶部４１と、発振回路４２と、駆動回路４４とを備え、各種制御を行う。制御部４０は、受信モジュール３０を制御し、制御信号を受信モジュール３０に送り、受信モジュール３０の受信動作を制御すると共に、制御部４０内の駆動回路４４を介して液晶パネル部４の表示を制御する。記憶部４１には内部時刻情報をはじめ各種情報が記憶されている。電池１８は、回路の動作や表示に必要なエネルギーを供給する。
【００３８】
制御部４０、ＣＰＵ６２、ＤＳＰ６１は、協働して測時や測位情報を算出し、それらの情報に基づいて時刻、現在位置、移動距離、移動速度などの情報を割り出す。また制御部４０は、これらの情報の液晶パネル部４への表示の制御や、ボタン１６の操作にしたがって電子腕時計１の動作モードや表示モードの設定等の制御を行う。現在位置を地図上に表示するナビゲーションなどの高度な機能を持たせることも可能である。
【００３９】
ここで、電子腕時計１に内蔵されているアンテナ部２は、複数のＧＰＳ衛星９０（図１）からの衛星信号を受信する必要がある。ＧＰＳ衛星９０から送信される衛星信号の電波は、いわゆる円偏波であるため、アンテナ部２は、この円偏波を受信するのに適したアンテナであることが望ましく、さらに、電子腕時計１に組み込めるように、コンパクトな形態であることが好ましい。この電子腕時計１では、以下に説明するようなコンパクトな形態のアンテナ部２を、配線基板２０と電池１８との間に挿入した構成であり、即ち、電子腕時計１は、液晶パネル部４に近接して置かれた配線基板２０と、電子腕時計１を装着すべき腕８と、の間にアンテナ部２を設けていることになる（図２）。
【００４０】
そして、図５（ａ）は、アンテナ部２を配線基板２０に近い側から見た平面図、図５（ｂ）は、アンテナ部への給電構成を示す断面図、図５（ｃ）は、アンテナ部で腕８に近い側の電極における励振モードを示す平面図である。従来のパッチアンテナは、広いグランド電極とグランド電極側から誘電体板２ｂを貫通して給電される放射電極とによって構成される。本実施形態で用いるアンテナ部２は、この従来のパッチアンテナのグランド電極と放射電極および誘電体板２ｂは形状および大きさがほぼ同じであり、従来のパッチアンテナのように電極をグランド電極／放射電極のように区別することができない。しかし、便宜的に図５（ａ）に示した面、すなわち反対側の面の電極（既述した電極２ａ）が引き出されている側の電極（既述した電極２ｃ）をグランド電極２ｃと呼び、その反対側の面にある電極２ａを放射電極２ａと呼ぶことにする。放射電極２ａは、スルーホールを通してグランド電極２ｃ側に引き出される。アンテナ部２は、放射電極２ａと、放射電極２ａと対向して位置するグランド電極２ｃと、放射電極２ａとグランド電極２ｃとに挟持された誘電体板２ｂと、を有している。
【００４１】
アンテナ部２のグランド電極２ｃの側には、放射電極２ａから誘電体板２ｂを挿通して放射電極２ａと接続されている受給電点４ｋが設けられていて、受給電点４ｋは、この場合、１ｍｍの円形であって、グランド電極２ｃとは絶縁された状態になっている。また、誘電体板２ｂをスルーホールを通して挿通する部分は、直径０．５ｍｍの円柱状をなしている。この受給電点４ｋには、同軸ケーブル２５の外皮を接続する。またグランド電極２ｃには、受給電点４ｋ近傍にて同軸ケーブル２５の芯線が接続されている。また、同軸ケーブル２５の他端では、その芯線が信号端子３６を通してＳＡＷフィルター３５に接続され、外皮が配線基板２０の接地電位に接続されることにより、アンテナ部２と受信モジュール３０との接続を取っている。従って、受給電点４ｋを介して、放射電極２ａは配線基板２０の接地電位に接続され、グランド電極２ｃは受信モジュール３０にある信号端子３６を通してＳＡＷフィルター３５に接続される。即ち、本実施形態では、受給電点４ｋが受信モジュール３０の接地電位が接続される接地点であり、受給電点４ｋ近傍のグランド電極２ｃ上が信号を接続する受給電点（信号点）となる。つまり、この場合、グランド電極２ｃは、アンテナ部２の配線基板２０に近い側の面に位置する第１導電層であり、配線基板２０の信号電位に接続されていると言える。また、放射電極２ａは、アンテナ部２の配線基板２０から遠い側の面に位置する第２導電層であり、配線基板２０の接地電位に接続されていると言える。なお、この接地点／信号点の呼び方は、受信モジュール３０から見た呼び方であり人為的なものである。アンテナ部２では、グランド電極２ｃおよび放射電極２ａはほぼ同形であり、アンテナ動作の観点からは、グランド電極２ｃが接地電位にあり放射電極２ａには信号電位が生じると考えても良い。
【００４２】
放射電極２ａは、１つの角部に三角形状の切欠部４ｐを有する矩形状（略四角形）であって、通常、銅・アルミニウム・鉄・金・銀・パラジウム・酸化インジュウムスズ（ＩＴＯ：Indium  Tin  Oxide）等の導体またはこれらの合金であれば機能するが、この場合、１０μｍの厚さの銅（Ｃｕ）めっきによって、誘電体板２ｂ上の表面に形成されている。同時に、誘電体板２ｂを挿通するスルーホールの部分も、銅（Ｃｕ）めっきによって形成されている。そして、放射電極２ａにおいては、切欠部４ｐの近傍の銅（Ｃｕ）めっきを部分的に削り取ったトリミング部４ｔを設けることにより、個別の周波数調整を容易に行なうことが可能である。また、グランド電極２ｃは、放射電極２ａとほぼ同じ矩形状であって、１０μｍの厚さの銅（Ｃｕ）めっきによって、受給電点４ｋを含めて、同時に形成されている。このように、受給電点４ｋがグランド電極２ｃの側にあれば、同軸ケーブル２５の長さを最小にして配線基板２０にある受信信号の入力部、即ちＳＡＷフィルター３５に接続することができ、同軸ケーブル２５による損失や線の引き回しによるアンテナ部２近傍の電磁界分布への影響を最小限とし、アンテナ性能を良好に保つことができる。
【００４３】
誘電体板２ｂは、放射電極２ａとほぼ同じ大きさの矩形状であって、使用可能な材質としては、アルミナ（Ａｌ2Ｏ3）、ムライト（３Ａｌ2Ｏ3・２ＳｉＯ2）、ステアライト（ＭｇＯ／ＳｉＯ2）、フォルステライト（２Ｍｇ2Ｏ／ＳｉＯ2）、ジルコニア（ＰＳＺ）、チタン酸マグネシア（ＭｇＴｉＣＯ3）等が挙げられる。この誘電体板２ｂの特性としては、誘電率が８以上２２以下が望ましく、誘電正接が０．００１以下が望ましい。そこで、これらの特性を得るために、電子装置における誘電体板２ｂのサイズは、電子腕時計１のような矩形状の場合には一辺が２ｃｍ〜４ｃｍであることが望ましい。参考に、誘電体板２ｂが円形である場合には直径が２．５ｃｍ〜３．５ｃｍであることが望ましい。また、いずれの場合でも、厚さは、０．０５ｍｍ〜１．５ｍｍであることが望ましい。電子腕時計１において、アンテナ部２の誘電体板２ｂは、厚さ０．８ｍｍ、短辺２．７ｃｍおよび長辺３．２ｃｍの矩形状をなすアルミナ（Ａｌ2Ｏ3）を用いていて、この場合のアルミナ（Ａｌ2Ｏ3）は、誘電率が９．６および誘電正接が０．０００１４の特性を有している。また、切欠部４ｐは、短辺側３ｍｍ、長辺側３．５ｍｍに切り欠いた設定である。この切欠部４ｐは誘電体板２ｂの四つある角のうちの任意の数、すなわち０〜４の箇所に設けることができる。特にデジタル表示の場合はデザイン上、角の取れた矩形が好まれる。この場合四隅に切欠部４ｐを設けることにより優れた外装デザインの電子装置を実現できる。
【００４４】
次に、このような構成のアンテナ部２による、ＧＰＳ衛星９０からの測位用信号を含む電波の受信について説明する。ＧＰＳ衛星９０からの電波は、受信する対象が、移動体のように任意の方向を向いていても受信可能となるように、円偏波が用いられている。円偏波は、時間の経過と共に電界の方向が回転する形態のものである。一般に、アンテナは、電波の電界方向と同じ方向に電流が流れることにより、該電波を受信することができる。従って、円偏波を受信するためには、アンテナに流れる電流を時間の経過と共に、回転させることが肝要である。アンテナに流れる電流が回転するためには、直交する方向に電流を流し９０度の位相差を持った励振を発生させれば良い。アンテナ部２では、放射電極２ａにおいて、以下に説明するようにして、互いに直交し９０度の位相差を持った、２つの励振モードを発生させることにより、円偏波の受信を可能にしている。
【００４５】
図５（ｃ）に示すように、アンテナ部２は、受給電点４ｋの部分において受電するピン給電方式である。この方式は、受電系に特別な回路素子等を用いることなく励振モードを発生させることができ、円偏波の受信が容易に行える簡便なものである。このような配置のアンテナ部２において電波を受信すると、放射電極２ａ上には長辺方向に励振モードＦ１の電流が流れ、励振モードＦ１と直交する方向、即ち短辺方向に励振モードＦ２の電流が流れる。またグランド電極２ｃ上にもＦ１、Ｆ２と同じ方向で位相が逆向きの電流が流れる。逆に言えば、アンテナ部２の構成によって、上記のような励振モードＦ１，Ｆ２が発生するように、受給電点４ｋの位置を設定することが可能である。この時、励振モードＦ１と励振モードＦ２との励振は、放射電極２ａの矩形状により異なっており、短辺および長辺の長さやトリミング部４ｔの調整をすることにより、励振モードＦ１と励振モードＦ２とを異なる位相とする等の制御を容易に行なうことができ円偏波の受信ができる。トリミング部４ｔも、放射電極２ａまたはグランド電極２ｃの各四隅のうちの任意の数および箇所に設けることができる。製造時においての調整のしやすさによって、適当な位置および数を選択すればよい。
【００４６】
なお、極端な小型化への要請や機器の外装デザイン上の制約から、アンテナ部２の外形形状を大きな縦横比の長方形に取らざるを得ない場合がある。この場合、励振モードＦ１と励振モードＦ２の共振周波数の差が大きく異なってしまう。このような場合においても、長軸方向の励振モードＦ１の共振周波数を目的の受信周波数に合わせれば、直線偏波の受信が可能となる。もちろん励振モードＦ２に目的の受信周波数を合わせてもよいが、その場合は、アンテナ部２のサイズが大きくなってしまう。Ｆ２に周波数を合わせることができるということは、アンテナサイズに余裕のある場合であり、そのときは円偏波の受信が可能である。
【００４７】
アンテナ部２に電波が到来すると、グランド電極２ｃや放射電極２ａに沿って流れる表面電流が誘起され、この電流により受給電点４ｋに受信信号が得られる。グランド電極２ｃや放射電極２ａに沿って流れる表面電流は、それぞれ２次元の広がりを持った分布をもち、また励振モードＦ１、Ｆ２によってもその分布が異なる。これらの電流分布は、図５（ａ）に示すように、アンテナ部２の外縁に流れる磁流２ｅ、２ｆ、２ｇ、２ｈを仮定することにより一次元の分布に置き換えることができる。励振モードＦ１によって磁流２ｅ、２ｈが、励振モードＦ２によって磁流２ｆ、２ｇが誘起される。これらの磁流の誘起に影響を与えないように、アンテナ部２の外縁は、十分なクリアランスをとることがアンテナ性能を保つ上で重要である。
【００４８】
このクリアランスの量は、シミュレーションおよび実験によって、以下に示す値のように取れば、アンテナ性能に深刻な影響を及ぼさないことを見出した。図２を使ってクリアランスについて説明する。アンテナ部２の外縁から平面方向の外側に距離Δｐおよび外縁から平面方向の内側に距離Δｃ、アンテナ部２のグランド電極２ｃから高さ方向にΔｅ、の各範囲には、金属等の導電物を置いてはいけない。この範囲に導電物があるとアンテナ性能が著しく劣化する。また、アンテナ部２の放射電極２ａから高さ方向にΔｅの範囲にも、金属等の導電物を置いてはいけないが、通常、電池１８のサイズが小さいのでこの条件は容易に達成できるため図示していない。ここでΔｐとΔｃ、△ｅの具体的な値としてそれぞれ受信する電波の波長の２／１００以下、０．５／１００以上、０．０．５／１００以上に設定すべきである。即ち、アンテナ部２の放射電極２ａまたはグランド電極２ｃの小さいほうの外縁と、それに重ねて置かれる配線基板２０や液晶パネル部４の大きいほうの外縁と、の距離Δｐは、受信する電波の波長の２／１００以下にする必要がある。好ましくは、Δｐ＝０または図２の楕円８１内のΔｐ1のようにΔｐ＜０となるよう配置する。特にΔｐ＝０とするのが実装効率上最も望ましい。さらにアンテナ部２の外縁の外側のΔｐから内側のΔｃの範囲では、グランド電極２ｃの上方および放射電極２ａの下方ともにΔｅ＝０．５／１００波長以上のクリアランスが必要である。Δｃ、Δｅともに１／１００波長以上にとるのが好ましい。この３方向のクリアランスの中では、特にΔｐの影響が大きく、Δｐ≦２／１００波長とすることが重要である。また、極端な小型化への要請や機器の外装デザイン上の制約から、縦横比の大きな長方形のアンテナ部２によって直線偏波の受信を行う場合には、少なくとも長方形の短辺において上記のクリアランスをとることが必要である。
【００４９】
電子腕時計１において、アンテナ部２と液晶パネル部４と配線基板２０との外形状をほぼ同じにできれば、実装上最も効率が良い。本実施形態のアンテナ部２を本実施形態の実装構造で用いれば、アンテナ部２と液晶パネル部４と配線基板２０とを同じ形状にしても、上記クリアランスを容易に確保することができ、実装効率がよく、しかも受信性能の良い電子腕時計１を実現することができる。即ち、アンテナ部２と液晶パネル部４と配線基板２０との外形形状をほぼ同じにしても、アンテナ部２には、アンテナ部２の外縁において、液晶パネル部４や配線基板２０の影響をほとんど受けることなく、磁流２ｅ、２ｈ、２ｆ、２ｇ（図５（ａ））を形成することができる。これにより、アンテナ部２は、受信部としてＧＰＳ衛星９０からの電波を確実に受信することができる。これは、アンテナ部２が液晶パネル部４の外形状より大きい場合、即ちΔｐ＜０においても、また、アンテナ部２が液晶パネル部４より小さい場合でも、Δｐ≦２／１００波長ならば、ほぼ同様なことが言える。
【００５０】
以上説明したように、実施形態１の電子腕時計１は、配線基板２０が液晶パネル部４に対して腕８の側に配置されていて、この配線基板２０より腕８の側の位置に、アンテナ部２が配置されている。このような構成の電子腕時計１は、液晶パネル部４と配線基板２０が近接して配置され、液晶パネル部４と配線基板２０とを接続するフレキシブル基板４ｎは、アンテナ部２から離れており、アンテナ部２がフレキシブル基板によって覆われてしまうなどの影響を受け難く、受信性能の向上が図れる、という利点がある。これにより、電子腕時計１は、小型化された場合においても、受信性能を維持することができる。さらに、アンテナ部２は、放射電極２ａが電池１８の側、即ち腕８の側、を向いていることにより、グランド電極２ｃの側の受給電点４ｋが配線基板２０と対向するような配置である。そのため、アンテナ部２と配線基板２０との接続が容易な構成となっている。さらに、放射電極２ａには配線基板２０の接地電位が接続され、グランド電極２ｃには受信モジュール３０にある受信信号を入力する信号端子３６が接続されている。これによって、グランド電極２ｃは、配線基板２０で広い面積を占有している接地電位の配線と該接地電位に接続された放射電極２ａによって挟まれた状態となり、外部からの影響を最小限とすることが可能となる。電子腕時計１は、特に良導電体である腕８への接近、即ち装着状態や装着位置の微妙なずれによる受信性能の変動を抑えることができ、表示面側に指などを近づけたときの影響についても、同様に最小とすることができる。
【００５１】
また、電子腕時計１は、裏蓋１３を金属のような導電性のある導電体の形態で構成すると、それに密着する腕を含む人体の大きな導体および電池を含む広い範囲が配線基板２０の接地電位となる。これによって、電子腕時計１は、より安定かつ高い性能のアンテナ特性を得ることができる。さらに、電池１８は、受信周波数においては配線基板２０の接地電位にあると考えられので、電池１８が接地電位に接続されている放射電極２ａに接近して影響を与えるということはない。この構成によって、電池１８は、取替えを容易にするように、裏蓋１３に最も接近して置くことができる。
（実施形態２）
【００５２】
次に、アンテナ部の他の形態について説明する。図６は、実施形態２の電子腕時計におけるアンテナ部構成を示す断面図である。実施形態２における電子腕時計１００は、アンテナ部２の受給電点４ｋと同軸ケーブル２５の接続が実施形態１の場合とは異なっている。以下では、電子腕時計１００を構成する部品において、機能が同一なものには実施形態１と同一符号を付与してその説明を省略し、実施形態１と異なる部分についてのみ説明する。
【００５３】
電子腕時計１００では、アンテナ部２の受給電点４ｋと同軸ケーブル２５の接続において、受給電点４ｋは同軸ケーブル２５の芯線に接続され、グランド電極２ｃの受給電点４ｋ近傍は同軸ケーブル２５の外皮に接続されている。この場合、同軸ケーブル２５の外皮は、受給電点４ｋを囲むように接続しても良い。そして、同軸ケーブル２５の他端、すなわち配線基板２０と接続される側においては、コネクター２６を通して、同軸ケーブル２５の芯線が配線基板２０の接地電位に接続され、外皮が受信モジュール３０の信号端子３６に接続されている。このような接続によって、放射電極２ａおよびグランド電極２ｃの電位は、実施形態１と同じになり、実施形態１と同様の効果が得られる。また、配線基板２０の側において、同軸ケーブル２５の芯線が接地電位に接続され、外皮が信号端子３６を通してＳＡＷフィルター３５に接続されるため、配線基板上に漏洩電流（コモンモード電流）が流れ整合条件が少し変わるが、その影響を排除することは容易である。整合条件の変化量は微小であり、整合回路の定数の多少変更をすればその影響を排除できる。さらに、本実施形態によれば、同軸ケーブル２５の外皮とグランド電極２ｃの電位は同じなので、グランド電極２ｃと同軸ケーブル２５の外皮との間に流れる漏洩電流が発生しない。これによって、アンテナ部２に形成される電磁界分布を、より本来の動作状態、即ちアンテナ部２近傍の導電性の物体による電磁界の乱れによる悪影響がない理想的な動作状態、に近づけることができる。また、同軸ケーブル２５の引き回し位置によって特性が変動することも、抑制できる。さらに、受給電点４ｋと同軸ケーブル２５との接続に一般に用いられている汎用の同軸コネクターを使用することが可能となり、電子腕時計１００の製造や保守を容易にすることができる。
（実施形態３）
【００５４】
次に、アンテナ部の他の形態について説明する。図７は、実施形態３の電子腕時計におけるアンテナ部構成を示す断面図である。実施形態３の電子腕時計２００におけるアンテナ部２は、放射電極２ａおよびグランド電極２ｃの配置方向が実施形態１および実施形態２の場合とは異なっている。以下では、電子腕時計２００を構成する部品において、機能が同一なものには実施形態１および実施形態２と同一符号を付与してその説明を省略し、実施形態１と異なる部分についてのみ説明する。
【００５５】
上記した実施形態１および２の電子腕時計１または電子腕時計１００では、配線基板２０の接地電位が放射電極２ａに接続されている。上に述べたとおり、放射電極２ａとグランド電極２ｃとはほぼ同じ形であり、どちらを放射電極と呼ぶかは便宜的なものであり、実施形態１および２では、スルーホールを通して放射電極２ａが引き出されている側の電極をグランド電極２ｃと呼んでいる。これはアンテナ部２の外形形状によっての呼称である。アンテナ部２の動作に基づく呼称をつけるとすれば、上記実施形態１および２では、グランド電極２ｃが放射電極としての動作をしていると考えるほうが適切である。本実施形態３では、アンテナ形状からの呼称と動作からの呼称が一致するようにアンテナ部２の配置を変更したものである。
【００５６】
図７に示すように、電子腕時計２００のアンテナ部２は、電池１８の側から順に、グランド電極２ｃ、誘電体板２ｂ、放射電極２ａを有し、グランド電極２ｃの側に設けられている受給電点４ｋから、受信モジュール３０の受信入力である信号端子３６（図４）に給電される構成になっている。つまり、この場合、放射電極２ａは、アンテナ部２の配線基板２０に近い側の面に位置する第１導電層であり、配線基板２０の信号電位に接続されていると言える。また、受給電点４ｋには、同軸ケーブル２５の芯線が接続され、受給電点４ｋの近傍には、受給電点４ｋを囲うように同軸ケーブル２５の外皮が接続されている。アンテナ部２は、同軸ケーブル２５によって配線基板２０まで接続され、芯線が配線基板２０上で受信モジュール３０の信号端子３６に接続されている。この構成によれば、実施形態１および２における構成と比べて、同軸ケーブル２５が長くなるが、配線基板２０上およびアンテナ部２の受給電点４ｋの近傍における漏洩電流の影響を最小限にできる。
【００５７】
本実施形態の電子腕時計２００におけるアンテナ部２によれば、配線基板２０が液晶パネル部４に対して腕８の側に配置されていて、アンテナ部２が液晶パネル部４またはフレキシブル基板４ｎの影響を受け難くなっていること、また配線基板２０上およびアンテナ部２の受給電点４ｋの近傍における漏洩電流の影響を最小限にできることにより、受信性能の向上が図れる、という利点がある。
【００５８】
以上説明した電子装置である電子腕時計１，１００，２００は、上記の各実施形態に限定されるものではなく、次に挙げる変形例のような形態であっても、各実施形態のいずれかと同様な効果が得られる。
【００５９】
（変形例１）電子腕時計１，１００，２００のアンテナ部２および液晶パネル部４は、矩形形状をなしている形態であるが、この形態に限定されることなく、円形や楕円形、その他ひし形や平行四辺形、多角形等をなす形態であっても良く、矩形形状の場合と同様に機能する。
【００６０】
（変形例２）アンテナ部２の切欠部４ｐは、三角形の形状に限定されず、外縁からアンテナ部２の内部方向へ向かって凹状に形成された形状や、外縁から凸状に突起した形状等であっても良い。これにより、アンテナ部２は、電子腕時計１，１００，２００のデザイン形状等に対応して、融通性のある設定が可能である。同様にトリミング部４ｔの形状も三角形の形状に限定されず、外縁からアンテナ部２の内部方向へ向かって凹状に形成された形状や、外縁に平行に削り取った形状等であっても良い。またトリミング部４ｔは放射電極２ａ、グランド電極２ｃのいずれの側にいくつ設けてもよく、また必ずしも切欠部４ｐと同じ場所におく必要もない。
【００６１】
（変形例３）アンテナ部２と受信モジュール３０の信号端子３６との接続は，同軸ケーブル２５に限らない。リード線、コプレナーガイド、マイクロストリップライン、レッヘル線路等も用いることができる。
【００６２】
（変形例４）電子装置としては、電子腕時計１，１００，２００に限らず、アンテナ部２を有する、トラベルクロック、懐中時計および携帯型電子機器に付属する時計類も該当し、さらに、時計機能を有していない携帯端末等に適用することも可能である。例えば、人体に装着して生体情報を収集し、その収集したデータを無線通信によって外部のコンピューターなどに送信する健康管理システムや、野生動物の生態観察のために動物に装着しその生体情報を収集する装置等にも応用が可能である。
【００６３】
（変形例５）表示体部は、液晶パネル部４に限定されるものではなく、液晶以外による表示を用いたものであっても良く、例えば、有機ＥＬ（有機エレクトロルミネッセンス）やＥＰＤ（Electro  Phoretic  Display）等が挙げられる。さらには、針および文字盤と針を駆動するステップモーターおよび輪列によって構成されるアナログ時計の表示も採用することができる。
【符号の説明】
【００６４】
１…電子装置としての電子腕時計、２…アンテナ部、２ａ…第２導電層としての放射電極、２ｂ…誘電体としての誘電体板、２ｃ…第１導電層としてのグランド電極、４…表示体部としての液晶パネル部、４ｋ…受給電点、４ｎ…フレキシブル基板、４ｐ…切欠部、４ｔ…トリミング部、８…腕、１１…外装ケース、２０…配線基板、２５…同軸ケーブル、３０…受信モジュール、４０…制御部、９０…ＧＰＳ衛星、１００…電子装置としての電子腕時計、２００…電子装置としての電子腕時計。
【図１】
2013247599.tif 000003
【図２】
2013247599.tif 000004
【図３】
2013247599.tif 000005
【図４】
2013247599.tif 000006
【図５】
2013247599.tif 000007
【図６】
2013247599.tif 000008
【図７】
2013247599.tif 000009